(57)【要約】【課題】本発明は、撮影装置と離れた場所でマイクロフォン装置に向かってレポートしながら、該撮影装置にパンやチルトなどの各種動作を行わせることができるマイクロフォン装置を提供する。【解決手段】マイクロフォン装置１は、撮影装置２３にパン又はチルト回転、撮影開始又は終了、録画開始又は終了を含む各種動作を行わせるための遠隔操作用ボタン部４を備え、当該遠隔操作用ボタン部４からの操作入力を遠隔操作情報信号に変換して撮影装置２３に送信する。【選択図】図４
2009027626.tif 000002
【特許請求の範囲】
【請求項１】
音声を入力する音声入力手段と、前記音声入力手段より入力された音声を音声情報信号として外部装置に送信し、また撮影装置で撮影された映像を画像情報信号として受信する伝送手段と、前記受信した画像情報信号に基づいて映像を表示する映像表示手段とを備えるマイクロフォン装置であって、
前記撮影装置にパン又はチルト回転、撮影開始又は終了、録画開始又は終了を含む各種動作を行わせるための操作手段と、
前記操作手段からの操作入力を遠隔操作情報信号に変換して前記撮影装置に送信する送信手段とを備えることを特徴とするマイクロフォン装置。
【請求項２】
音声を入力する音声入力手段と、前記音声入力手段より入力された音声を音声情報信号として外部装置に送信し、また撮影装置で撮影された映像を画像情報信号として受信する伝送手段と、前記受信した画像情報信号に基づいて映像を表示する映像表示手段とを備えるマイクロフォン装置であって、
前記撮影装置にパン又はチルト回転、撮影開始又は終了、録画開始又は終了を含む各種動作を行わせるための操作手段と、
前記操作手段からの操作入力を遠隔操作情報信号に変換して前記撮影装置に送信する送信手段と、
前記音声入力手段から入力された音声を音声認識する音声認識手段と、
前記音声認識手段により音声認識された音声情報を遠隔操作情報信号に変換する変換手段と、
前記操作手段による手動操作と前記音声認識手段による音声操作のいずれか一方に切り替える切り替え手段とを備え、
前記送信手段は、前記音声認識手段による音声操作に切り替えられた場合、前記変換手段により変換された遠隔操作情報信号を送信することを特徴とするマイクロフォン装置。
【請求項３】
文字情報、画像情報を予め記憶する記憶手段と、
無線又は有線を介してネットワークに接続してＥメールの文字情報、画像情報を送受信するネットワーク接続手段とを更に備え、
前記映像表示手段は、前記記憶手段に記憶された文字情報、画像情報、又は前記ネットワーク接続手段により送受信した文字情報、画像情報を表示することを特徴とする請求項１又は２記載のマイクロフォン装置。
【請求項４】
前記撮像装置に当該マイクロフォンを自動追尾して撮影させるための自動追尾信号を送信する送信手段を更に備えることを特徴とする請求項１乃至３のいずれか１項に記載のマイクロフォン装置。
【請求項５】
静止画、動画を撮影し、また録画可能な撮影手段と、
前記撮影手段をパンまたはチルト駆動する駆動手段と、
前記撮影手段により撮影された映像を画像情報信号として送信する送信手段と、
外部のマイクロフォン装置から音声情報信号を受信し、また前記マイクロフォン装置から送信された遠隔操作情報信号を受信する受信手段とを備え、
前記撮影手段及び前記駆動手段は、前記受信した遠隔操作情報信号に基づいて、パン又はチルト回転、撮影開始又は終了、録画開始又は終了を含む各種動作を行うことを特徴とする撮影装置。
【請求項６】
前記受信手段は、前記マイクロフォンを自動追尾して撮影するための自動追尾信号を受信することを特徴とする請求項５記載の撮影装置。
【請求項７】
請求項１乃至４記載のマイクロフォン装置と、請求項５又は６に記載の撮影装置とで構成されるリモート撮影システムにおいて、
前記撮影装置は、前記マイクロフォン装置から送信される自動追尾信号を受信し、前記自動追尾信号に基づいて、前記撮影装置の撮像手段をパンまたはチルト駆動して自動追尾することを特徴とするリモート撮影システム。
【発明の詳細な説明】
【技術分野】
【０００１】
本発明は、離れた場所に設置された撮影装置の遠隔操作並びに映像及び音声の確認を可能にするマイクロフォン装置、撮影装置、及びリモート撮影システムに関する。
【背景技術】
【０００２】
近年、放送局の多様化、小規模な地域放送局や地方局の増加、またはこれら放送局の経費削減等で、一人でビデオカメラマンとレポータをこなす取材形態が増えている。これはビデオジャーナリストと呼ばれ、事件や事故などの現場をビデオカメラで撮影すると共に、ビデオカメラを自分に向けて撮影し、マイクロフォンで現場の様子をレポートまたは取材すると云うものである。このとき、ビデオジャーナリストは自分の姿がビデオカメラにどのように撮影されているかを確認するために、該ビデオカメラのモニタ（又はファインダ）で大体の自分位置を想定するか或いはビデオカメラにモニタを接続して確認する等の方法を採っている。
【０００３】
また、カメラマンが、スカウターやマイクが取り付けられたヘッドマウンターを装着してカメラを肩に掛け、手にリモートコントロールを持って取材するというスタイルが提案されている（例えば、特許文献１参照）。
【特許文献１】特開平１１−８８７３６号公報
【発明の開示】
【発明が解決しようとする課題】
【０００４】
しかしながら、ビデオカメラのファインダで大体の自分位置を想定して撮影する場合、実際に映った自分自身の映像を確認できないので、映像画面に対して自分位置や大きさを適切に設定できないという問題がある。また、ビデオカメラ（撮影装置）にモニタを接続して確認する方法では、装置が大掛かりとなり、取材の機動性が損なわれるという問題がある。
【０００５】
また、ビデオジャーナリストである自分を撮影した後に現場等を撮影するためには、その都度、カメラのアングル、向き、ズーム等を切り替えたり、再度画角や撮影状態を確認する必要があり、ビデオジャーナリストにとって煩雑な作業となる。また、上記特許文献１記載の発明では、ビデオジャーナリストとして自分自身を撮影することは不可能である。
【０００６】
本発明は、上記問題に鑑み、撮影装置と離れた場所でマイクロフォン装置に向かってレポートしながら、該撮影装置にパンやチルトなどの各種動作を行わせることができるマイクロフォン装置、撮影装置、及びリモート撮影システムを提供することを目的とする。
【課題を解決するための手段】
【０００７】
上記目的を達成するために、請求項１記載のマイクロフォン装置は、音声を入力する音声入力手段と、前記音声入力手段より入力された音声を音声情報信号として外部装置に送信し、また撮影装置で撮影された映像を画像情報信号として受信する伝送手段と、前記受信した画像情報信号に基づいて映像を表示する映像表示手段とを備えるマイクロフォン装置であって、前記撮影装置にパン又はチルト回転、撮影開始又は終了、録画開始又は終了を含む各種動作を行わせるための操作手段と、前記操作手段からの操作入力を遠隔操作情報信号に変換して前記撮影装置に送信する送信手段とを備えることを特徴とする。
【０００８】
上記目的を達成するために、請求項２記載のマイクロフォン装置は、音声を入力する音声入力手段と、前記音声入力手段より入力された音声を音声情報信号として外部装置に送信し、また撮影装置で撮影された映像を画像情報信号として受信する伝送手段と、前記受信した画像情報信号に基づいて映像を表示する映像表示手段とを備えるマイクロフォン装置であって、前記撮影装置にパン又はチルト回転、撮影開始又は終了、録画開始又は終了を含む各種動作を行わせるための操作手段と、前記操作手段からの操作入力を遠隔操作情報信号に変換して前記撮影装置に送信する送信手段と、前記音声入力手段から入力された音声を音声認識する音声認識手段と、前記音声認識手段により音声認識された音声情報を遠隔操作情報信号に変換する変換手段と、前記操作手段による手動操作と前記音声認識手段による音声操作のいずれか一方に切り替える切り替え手段とを備え、前記送信手段は、前記音声認識手段による音声操作に切り替えられた場合、前記変換手段により変換された遠隔操作情報信号を送信することを特徴とする。
【０００９】
上記目的を達成するために、請求項５記載の撮影装置は、静止画、動画を撮影し、また録画可能な撮影手段と、前記撮影手段をパンまたはチルト駆動する駆動手段と、前記撮影手段により撮影された映像を画像情報信号として送信する送信手段と、外部のマイクロフォン装置から音声情報信号を受信し、また前記マイクロフォン装置から送信された遠隔操作情報信号を受信する受信手段とを備え、前記撮影手段及び前記駆動手段は、前記受信した遠隔操作情報信号に基づいて、パン又はチルト回転、撮影開始又は終了、録画開始又は終了を含む各種動作を行うことを特徴とする。
【００１０】
上記目的を達成するために、請求項７記載のリモート撮影システムは、請求項１乃至４記載のマイクロフォン装置と、請求項５又は６記載の撮影装置とで構成されるリモート撮影システムにおいて、前記撮影装置は、前記マイクロフォンから送信される自動追尾信号を受信し、前記自動追尾信号に基づいて、前記撮影装置の撮像手段をパンまたはチルト駆動して自動追尾することを特徴とする。
【発明の効果】
【００１１】
本発明によれば、撮影装置と離れた場所でマイクに向かってレポートしながら、該ビデオカメラのパンやチルト、ズームやフォーカス、露出などの制御を自由に行うことができる。
【発明を実施するための最良の形態】
【００１２】
以下、本発明の実施の形態を図面を参照して詳細に説明する。
【００１３】
図１は、本発明の実施形態に係るマイクロフォン装置を斜め後上方から見た斜視図であり、図２はマイクロフォン装置を斜め前上方から見た斜視図である。
【００１４】
１は本発明の実施形態に係るマイクロフォン装置である。２は、マイクロフォン装置１を使用するレポータ兼ビデオカメラマン（以下、「ビデオジャーナリスト」と呼ぶ。）や周囲の音声を取得する音声入力部である。３は、小型のカラーＬＣＤ（Liquid Crystal Display）等から成る映像表示部である。４は、マイクロフォン装置１から離れた場所に設置された撮影装置を遠隔操作するための遠隔操作用ボタン部である。遠隔操作用ボタン部４は、４つの矢印キーと、これら矢印キーに囲まれて配置された□キーとで構成される。遠隔操作用ボタン部４の詳細については後述する。
【００１５】
５，６，７は各種機能ボタンである。５は自動追尾機能ボタンである。自動追尾機能ボタン５が押されると自動追尾機能がＯＮし、ビデオジャーナリストが持つマイクロフォン装置１を自動追尾するように、撮影装置が駆動制御される。６は操作メニュー機能ボタンである。操作メニュー機能ボタン６が押されると映像表示部３に操作メニュー画面が表示される。７は音声認識モード機能ボタンである。音声認識モード機能ボタン７が押されると音声認識モードに切り替わり、遠隔操作用ボタン部４による手動操作に代えて、音声による撮影装置の操作が可能となる。
【００１６】
８はコード状の無線アンテナである。９はビデオジャーナリストがマイクロフォン装置１を手で保持するためのグリップ部である。このグリップ部９の内部には、不図示の電源（電池等）や制御回路、メモリ等が配置されている。
【００１７】
図２において、１０は映像信号受信部、１１は自動追尾用信号送信部、１２はリモコン信号送信部である。これらを介してマイクロフォン装置１は、後述する撮影装置との通信が可能に構成されている。１３は、ヘッドフォン端子であり、モニタ用のヘッドフォンやイヤフォン等を接続することができる。
【００１８】
図３は、本発明の実施の形態に係る撮影装置を斜め前上方から見た斜視図である。
【００１９】
２３は本発明の実施形態に係る撮影装置（外部装置）である。撮像装置２３は、静止画や動画の撮影が可能で、これら静止画及び動画の録画可能である。１４は静止画、動画の撮影及び録画可能なカメラヘッド（撮影手段）である。カメラヘッド１４は、パン及びチルト回転が可能で、ａ軸を中心にパン回転し、ｂ軸を中心にチルト回転する。１４ｂはカメラヘッド１４に内蔵されたレンズユニットである。
【００２０】
１５，１６は、カメラヘッド１４を左右方向から支える支持部である。支持部１５，１６には、チルト駆動用のモータやその制御回路が内蔵されている。１８はオペレート表示用のＬＥＤ（Light Emitting Diode）である。
【００２１】
１７は撮影装置２３の本体部である。本体部１７には、メインの制御回路、撮影した静止画や動画を記録する記録装置（又は記録媒体）、パン駆動用のモータやその制御回路、各種センサー等が内蔵されている。また、本体部１７には、図１のマイクロフォン装置１と同様に、周囲の音声を入力するための音声入力部２４，２５が配置されている。これら２つの音声入力部２４，２５により、撮影装置周辺の音声を、広範囲で且つ立体感が得られるように入力することが可能となる。
【００２２】
１９はリモコン信号受信部、２０は音声信号受信部、２１は映像信号送信部である。これらを介して撮影装置２３は、マイクロフォン装置１との通信が可能に構成されている。２２は底板であり、ゴム足(不図示)や三脚取り付けネジ部(不図示)等が配置されている。また、図示されていないが、本体部１７の背面には、後述する操作部が配置されている。
【００２３】
なお、撮影装置２３は、パン及びチルトが可能であれば図示の形態に限るものではない。図３では、本体のみを図示しているが、取材時には底板２２の三脚取り付けネジ部を介して三脚(図示せず)等に固定されて使用される。
【００２４】
次に、図１のマイクロフォン装置１の回路構成について図４を参照して説明する。
【００２５】
図４は、図１のマイクロフォン装置１の回路構成を示すブロック図である。
【００２６】
図４において、音声入力部２は、外部から入力した音声を音声信号に変換して音声回路３１に出力する。音声回路３１はコントローラ３２に制御され、音声回路３１からの音声信号を増幅してＡ／Ｄ変換し、ＳＷ３３を介して送信回路３４又は音声認識回路４２に出力する。このとき、音声信号は、コントローラ３２によりその音量等が適切に調整される。
【００２７】
コントローラ３２は、ＣＰＵ、ＲＯＭ、ＲＡＭ、及びＩ／Ｏインターフェース等を内蔵したマイクロコンピュータであり、ＲＯＭに内蔵されたプログラム等に基づいてマイクロフォン装置全体を制御する。
【００２８】
ＳＷ３３は図１の音声認識モード機能ボタン７に相当する。通常、ＳＷ３３は図中ｃの位置にあり、音声信号が音声回路３１から送信回路３４へ出力される。そして、送信回路３４により音声信号が電波信号に変換され、音声信号送信部３５（伝送手段）からコード状の無線アンテナ８を介して音声情報信号として送信される。音声信号送信部３５から送信される電波は、例えば、短距離無線通信規格であるＩｒＤＡ（Infrared Data Association）による赤外線やBluetooth（登録商標）による電波であるが、これに限定されるものではない。
【００２９】
一方、音声認識モード機能ボタン７が押下されると、ＳＷ３３が図中ｃからｄの位置へ切り替わる。そして、音声信号が音声回路３１から音声認識回路４２へ出力される。音声信号は音声認識回路４２にて音声認識され、音声認識された音声情報はコントローラ３２により制御コマンドに変換される。制御コマンドに変換された信号は、リモコンコマンド送信回路４３に出力され、リモコンコマンド送信回路４３にて赤外線信号に変換される。そして、この赤外線信号は、リモコン信号送信部１２である発光素子４４からリモコン信号（遠隔操作情報信号）として外部へ送信される。なお、音声認識モード機能ボタン７が押下された場合、遠隔操作情報としての音声のみを受け付け、通常の音声入力はカットされて、送信されない状態となる。
【００３０】
操作部３６（操作手段）は、遠隔操作用ボタン部４及び機能ボタン５，６，７を備える。ビデオジャーナリストがこれらのボタン操作を行うことにより、撮影装置２３を遠隔操作可能になる。操作部３６で入力された操作情報は、コントローラ３２に出力され、制御コマンドに変換される。制御コマンドに変換された信号は、リモコンコマンド送信回路４３に出力され、リモコンコマンド送信回路４３にて赤外線信号に変換される。そして、この赤外線信号は、リモコン信号送信部１２である発光素子４４からリモコン信号（遠隔操作情報信号）として送信される。また、操作情報は、コントローラ３２を介して表示回路３９へ出力され、映像表示部３に表示されるので、ビデオジャーナリストは操作コマンドの確認が可能となる。
【００３１】
このように、ビデオジャーナリストは、音声入力部２からの音声入力又は操作部３６からの操作入力により撮影装置２３を遠隔操作、すなわち撮影装置２３にパン又はチルト回転、撮影開始又は終了、録画開始又は終了等の各種動作を行わせることができる。
【００３２】
映像信号受信部１０である受光素子３７（伝送手段）は、撮影装置２３から送信された赤外線信号（画像情報信号）を受信し、電気信号に変換して受信回路３８へ出力する。受信回路３８は、受信信号を復号(或いは検波等)し、映像信号、音声信号、及び制御信号にそれぞれ分離する。そして、映像信号は、表示回路３９へ出力され、映像表示部３に映像として表示される。一方、受信回路３８で分離された音声信号は、Ｄ／Ａ変換され、ヘッドフォン端子１３へ出力される。また、受信回路３８で分離された制御信号は、コントローラ３２へ出力される。ビデオジャーナリストは、離れた場所に設置された撮影装置２３で撮影された映像をマイクロフォン装置１の映像表示部３で見ることができる。
【００３３】
インターネット通信部４５（ネットワーク接続手段）は、不図示のＬＡＮ用端子と無線ＬＡＮ用の回路とを備える。マイクロフォン装置１は、インターネット通信部４５を介して有線或いは無線ＬＡＮに接続し、Ｅメールやデータ等を送受信することができる。例えば、Ｅメールを受信すると、メール送受信部４６を介して表示回路３９へ出力され、映像表示部３でメール内容をテキストデータや画像データとして表示させることができる。また、マイクロフォン装置１はＷｅｂブラウザ等を備え、インターネット通信部４５を介してインターネットに接続し、映像表示部３にＷｅｂサイトを表示させることもできる。
【００３４】
メール送受信部４６は、コントローラ３２の制御により、受信したＥメールやデータをメモリ４７（記憶手段）に蓄積したり、メモリ４７に格納されたデータ等を削除する。メモリ４７は、内蔵固定された記憶装置であるが、これに限定されず、リムーバブルな記憶媒体であってもよい。リムーバブルな場合は、取り外しによりデータの移動等が可能である。なお、上述した各構成部は、グリップ部９に内蔵された電池を電源として駆動する。
【００３５】
本実施の形態では、送信回路３４とリモコンコマンド送信回路４３とが分離された構成について説明した。しかしながら、これに限定されず、外部に発信する信号の送信方式を適切に選ぶことで、送信回路３４とリモコンコマンド送信回路４３を同一構成とすることもできる。
【００３６】
次に、図３の撮影装置２３の回路構成について図５を参照して説明する。
【００３７】
図５は、図３の撮影装置２３の回路構成を示すブロック図である。
【００３８】
レンズユニット１４ｂは、撮影した画像情報を内部のＣＣＤ（Charge Coupled Devices）等により画像信号に変換し、カメラ回路６１へ出力する。画像信号は、カメラ回路６１から記録／再生部６２へ出力され、デジタル信号として記憶媒体（不図示）に記録され、また必要に応じて再生される。記憶媒体は、例えば、磁気テープ、固体メモリ、ＨＤＤ（Hard Disk Drive）、光磁気ディスク等から成るが、取り外し可能なリムーバブル装置でもよい。
【００３９】
音声入力部６３は、図３の音声入力部２４，２５に相当する。音声入力部６３は、外部から入力した音声を音声信号に変換して音声回路６４に出力する。音声回路６４は、受信した音声信号を増幅してＡ／Ｄ変換し、記録／再生部６２又は送信回路７３に出力する。このとき、音声信号は、コントローラ６５によりその音量等が適切に調整される。記録／再生部６２に入力された音声信号は、画像信号と同様に、デジタル信号として記憶媒体に記録され、また必要に応じて再生される。音声信号が再生される場合には、不図示のスピーカー等から音声として出力される。
【００４０】
コントローラ６５は、ＣＰＵ、ＲＯＭ、ＲＡＭ、及びＩ／Ｏインターフェース等を内蔵したマイクロコンピュータであり、ＲＯＭに内蔵されたプログラム等に基づいて撮影装置全体を制御する。操作部６６は、各種操作スイッチ、ボタン等と表示パネル装置とから成り、コントローラ６５に操作情報を出力し、動作や制御の指示等を行い、さらに、コントローラ６５からの情報により状態や状況の表示を行う。
【００４１】
カメラ駆動回路／駆動機構６８は、コントローラ６５からの指示により内部のモータを駆動し、フォーカス、ズーム、アイリスの駆動制御や調整を行う。パン及びチルト駆動回路／駆動機構６７は、コントローラ６５からの指示によりパン／チルト駆動モータを駆動し、カメラヘッド１４の姿勢制御や位置制御等を行う。
【００４２】
リモコン信号受信部１９である受光素子６９は、マイクロフォン装置１から送信されたリモコン信号を受信して受信回路７１へ出力する。音声信号受信部２０は、マイクロフォン装置１から発信された電波信号を受信して受信回路７１へ出力する。受信回路７１は、入力した信号が受光素子６９からのリモコン信号である場合はコントローラ６５へ出力し、音声信号受信部２０からの音声信号である場合は記録／再生部６２へ出力する。
【００４３】
コントローラ６５は、受信回路７１からリモコン信号を入力すると、当該リモコン信号に基づいて、撮影装置２３におけるパン又はチルト回転、撮影開始又は終了、録画開始又は終了等の各種動作を制御する。記録／再生部６２は、受信回路７１から音声信号を入力すると、上述したように、デジタル信号として記憶媒体に記録する。
【００４４】
送信回路７３は、カメラ回路６１及び音声回路６４からの信号や記録／再生部６２で再生された信号を、ＩｒＤＡやBluetooth（登録商標）による信号に変換して、映像信号送信部２１である発光素子７２へ出力する。そして、発光素子７２は外部へ信号を送信する。なお、コントローラ６５による制御で動作する電子スイッチ(ゲート)によって記録又は再生の切り替え等が行われるが、図では省略されている。
【００４５】
次に、マイクロフォン装置１と撮影装置２３とで構成されるリモート撮影システムの動作について図６及び図７を参照して説明する。
【００４６】
図６は、マイクロフォン装置１と撮影装置２３とで構成されるリモート撮影システムの動作例を示す図であり、図７は、マイクロフォン装置１の映像表示部３に表示される画面の一例を示す図である。
【００４７】
撮影装置２３は、上述したように三脚等に固定して設置されるか、平らな場所に設置される。ビデオジャーナリスト８０は、マイクロフォン装置１を持って撮影装置２３の撮影範囲８３内に立つ。そして、ビデオジャーナリスト８０は、マイクロフォン装置１の音声入力部２に向かって音声を発する。そのとき、映像表示部３には、撮影装置２３で撮影された自分自身の映像が表示される。
【００４８】
一方、マイクロフォン装置１のヘッドフォン端子１３にはイヤフォン８１が接続され、ビデオジャーナリスト８０は音声をモニタできるようになっている。そして、自分自身の音声或いは撮影装置２３の音声入力部２４，２５が捕らえた音声がイヤフォン８１を介して出力される。ビデオジャーナリスト８０は、これらの映像及び音声を確認しながらレポートすることができる。
【００４９】
マイクロフォン装置１の遠隔操作用ボタン部４の４つの矢印キーは、その左右キーがパン方向の操作に、上下キーがチルト方向の操作に対応している。ビデオジャーナリスト８０は、これら矢印キーを操作することにより、撮影装置２３のカメラヘッド１４をパン又はチルト回転させることができる。また、ビデオジャーナリスト８０は、パン又はチルト操作時に、撮影装置２３で撮影されている映像をマイクロフォン装置１の映像表示部３で確認し、レポートしながら撮影装置２３の撮影範囲８３を決定することができる。
【００５０】
マイクロフォン装置１の遠隔操作用ボタン部４の□キーは、操作モードに対応している。ビデオジャーナリスト８０は、この□キーを押すことにより操作モードを変更し、左右キーでフォーカスの遠近、上下キーでズームの広角又は望遠の各操作を行うことができる。なお、ビデオジャーナリスト８０が遠隔操作用ボタン部４の操作時においても、撮影装置２３が撮影している映像が映像表示部３に表示され、音声入力部２又は音声入力部２４，２５で入力された音声がヘッドフォン端子１３から出力される。その結果、ビデオジャーナリスト８０は、撮影画像や音声を確認しながら、撮影装置の画角や設定状態等を確認することができる。
【００５１】
マイクロフォン装置１は、撮影装置２３の撮影位置や画角等を予めプリセットする機能を有する。ビデオジャーナリスト８０は、そのプリセットナンバーを設定することにより、そのプリセット状態(撮影位置、画角)を瞬時に呼び出して、設定することができる。
【００５２】
ビデオジャーナリスト８０は、音声認識モード機能ボタン７を押すことにより、撮影装置２３のパン又はチルト、プリセット状態への変更等を音声入力により操作可能になる。その間、マイクロフォン装置１は、音声入力部２から入力された音声情報を撮影装置２３に送信しないように動作する。
【００５３】
また、自動追尾機能ボタン５が押されると、自動追尾用信号送信部１１からマイクロフォン装置１を自動追尾して撮影させるための自動追尾信号が送信される。撮影装置２３は、受信した自動追尾信号に基づいてマイクロフォン装置１を自動追尾するようになる。これにより、撮像装置２３がマイクロフォン装置１を持つビデオジャーナリストの撮影中にジャーナリスト自身が移動しても、ジャーナリスト自身が撮像装置２３を操作することなく、ジャーナリスト自身の撮影を継続させることができる。その結果、ビデオジャーナリスト８０が自由に動いて現場のレポートが可能になる。なお、本実施の形態では、マイクロフォン装置１と撮影装置２３との間で自動追尾用の信号を送受信することで自動追尾させる構成を説明したが、撮影装置側で撮影画像に対して人物認識等の処理を行って自動追尾させてもよく、その他の方法でもよい。
【００５４】
また、ビデオジャーナリスト８０は、操作メニュー機能ボタン６を押すことにより、映像表示部３に操作メニュー画面を表示させることができる。そして、所望のメニューを適時選択することにより、例えば、メモリ４７に予め記憶させた取材の台本や台詞等を表示させ、それらを確認しながらの取材が可能となる。また、映像表示部３により、無線ＬＡＮ等で受信したＥメールの確認もでき、放送局からの指示や連絡、参照するデータなどを表示させ、確認することができる。
【００５５】
本実施の形態によれば、ビデオジャーナリストが撮影装置から離れた場所でマイクロフォン装置に向かってレポートしながら、撮影装置にパン/チルト、撮影開始／終了、録画開始／終了、ズーム、フォーカス、露出等の各種動作を行わせることができる。
【００５６】
また、ビデオジャーナリスト８０は、離れた場所に設置された撮影装置２３による自分自身の撮影映像をマイクロフォン装置１の映像表示部３によりリアルタイムに確認することができる。
【００５７】
また、音声認識モードに切り替えることにより、音声操作が可能になる。さらに、マイクロフォン装置１の映像表示部３には、メモリ４７に記憶された台本、原稿などの文字情報、画像データ等の画像情報、Ｅメール機能により受信したＥメールの文字情報、画像情報などを表示することができる。また、マイクロフォン装置１から自動追尾信号を発信することにより、撮影装置２３を自動追尾させることができ、ビデオジャーナリストが自由に動いても、撮影装置２３がそれを捕らえ続けることができる。
【００５８】
本実施の形態は、動画を撮影可能な撮影装置について述べたが、本発明を、静止画を撮影するデジタルカメラ、例えば、旅行などで使用するデジタルカメラに適用すれば、旅行先でのセルフポートレート撮影等に非常に有効である。また、ネットワークカメラ、監視カメラなどのセキュリティカメラなど、すべてのカメラシステムについて有効である。
【図面の簡単な説明】
【００５９】
【図１】本発明の実施形態に係るマイクロフォン装置を斜め後上方から見た斜視図である。
【図２】マイクロフォン装置を斜め前上方から見た斜視図である。
【図３】本発明の実施の形態に係る撮影装置を斜め前上方から見た斜視図である。
【図４】マイクロフォン装置の回路構成を示すブロック図である。
【図５】図３の撮影装置の回路構成を示すブロック図である。
【図６】マイクロフォン装置１と撮影装置２３とで構成されるリモート撮影システムの使用例を示す図である。
【図７】図６のリモート撮影システム使用時にマイクロフォン装置１の映像表示部３に表示される画面の一例を示す図である。
【符号の説明】
【００６０】
１  マイクロフォン装置
２  音声入力部
３  映像表示部
４  遠隔操作用ボタン部
１０  映像信号受信部
１１  自動追尾用信号発生部
１２  リモコン信号送信部
１４  カメラヘッド
１９  リモコン信号受信部
２０  音声信号受信部
２１  映像信号送信部
２３  撮影装置
【図１】
2009027626.tif 000003
【図２】
2009027626.tif 000004
【図３】
2009027626.tif 000005
【図４】
2009027626.tif 000006
【図５】
2009027626.tif 000007
【図６】
2009027626.tif 000008
【図７】
2009027626.tif 000009